(57)【要約】【課題】冷温水素水器の自動水位調節装置を提供する。【解決手段】水ボトルから冷温水素水器の水槽に流入する水量を所定の水位に調節する水位調節装置１０であって、水槽の上部に備えられ、水ボトル固定カバーと分離可能に結合され、水ボトルの入口に連結されて水ボトルの水を水槽に流入させる水ボトル連結部材１００と、水槽の一部分に設置され、水槽の水量を所定の水位に維持するために水ボトル連結部材と連結され、水槽への流入水量を調節する水位調節部材２００と、水位調節部材を上下に移動する上で揺れないように誘導する水槽固定部材３００とを含み、水位調節部材は、水槽の水位に応じて上下に動きながら、水槽内の水量が減少すると、水ボトル連結部材の下端に設けられた水流入口を開放して水ボトルの水が水槽に供給され、水槽の水位が上がると、水ボトル連結部材の水流入口を塞いで水の供給を遮断する。【選択図】図１
2020500124.tif 000002
【特許請求の範囲】
【請求項１】
水ボトル固定カバーを介して連結された水ボトルから冷温水素水器の水槽に流入する水量を所定の水位に調節する水位調節装置であって、
前記水槽の上部に備えられ、前記水ボトル固定カバーと分離可能に結合されながら水ボトルの入口に連結されて水ボトルの水を前記水槽に流入させる水ボトル連結部材と、
前記水槽の一部に設置され、前記水槽の水量を所定の水位に維持するために前記水ボトル連結部材と連結されて前記水槽への流入水量を調節する水位調節部材と、
前記水位調節部材を上下に移動する上で揺れないように誘導する水槽固定部材とを含み、
前記水位調節部材は、
フロート方式で製作され、前記水槽の水位に応じて上下に動きながら、前記水槽内の水量が減少すると、前記水ボトル連結部材の下端に設けられた水流入口を開放して水ボトルの水が前記水槽に供給され、前記水槽の水位が上がると、前記水ボトル連結部材の前記水流入口を塞いで水の供給を遮断させることを特徴とする、冷温水素水器の自動水位調節装置。
【請求項２】
前記水ボトル連結部材は、
上端に設けられた水流入口を介して水ボトルの水を前記水槽に流入させ、水位の調節のために前記水位調節部材と連結される水ボトル連結ロッドを含むことを特徴とする、請求項１に記載の冷温水素水器の自動水位調節装置。
【請求項３】
前記水位調節部材は、
合成樹脂を用いて製作され、前記水ボトル連結部材の下端に設けられた水流入口を介して結合され、前記水槽内の水位に応じて上下移動しながら水流入口を開閉するバルブコックと、
前記水槽内の水面に浮遊するフロート方式であって、前記水槽内に流入した水を前記水槽の下端と所定の位置にそれぞれ分離して流入させる構造で製作され、前記水ボトル連結部材の下端に設けられた水流入口に連結される前記バルブコックが結合されるバルブコックコネクタを備え、下部は前記水槽固定部材に連結される水位調節弁を含むことを特徴とする、請求項１に記載の冷温水素水器の自動水位調節装置。
【請求項４】
前記バルブコックは、
前記バルブコックコネクタに結合され、前記水槽内の水の量が減少すると下方に下降して水流入口を開放させ、前記水槽の水位が上がると上方に上昇して水流入口を遮蔽させることを特徴とする、請求項２に記載の冷温水素水器の自動水位調節装置。
【請求項５】
前記水槽固定部材は、
前記水槽の下部の中心部分から上方に所定の長さだけ突出するように形成され、末端の外周面には雄ねじ山を有する固定台と、
前記固定台に対応する雌ねじ山が下端の内周面に形成されて前記固定台と分離可能に結合され、上端は前記水位調節部材に連結される連結ジョイントとを含むことを特徴とする、請求項１に記載の冷温水素水器の自動水位調節装置。
【請求項６】
前記水位調節弁は、
下方に所定の長さだけ突出して前記連結ジョイントの内側に連結されながら、前記バルブコックが前記水ボトル連結部材の下端の水流入口を遮断するように上下移動を支持するフロートロッドを含むことを特徴とする、請求項５に記載の冷温水素水器の自動水位調節装置。
【発明の詳細な説明】
【技術分野】
【０００１】
本発明は、自動水位調節装置に係り、さらに詳しくは、冷温水器の水槽内に設置され、水位を所定の水位に一定に維持するように自動調節する、冷温水素水器の自動水位調節装置に関する。
【背景技術】
【０００２】
最近では、健康への関心が高まるにつれて、水道水をそのまま直接飲むことよりも、ミネラルウォーターなどを購入して飲むか、或いは水道水原水を浄水器でフィルタリングして飲用水を作って使用する割合が急激に増加している。
【０００３】
一般に、浄水器は、原水に含まれている異物などを除去して、使用者が飲める水に浄水する装置として認識されてきたが、最近では、単純にフィルターを用いて汚染物質を濾過することに止まらず、イオン水や水素水などの機能性飲用水を生成することができる冷温水器への関心が増加し、これに関する様々な開発が進められている。
【０００４】
特に、水素水は、水に溶けた活性水素の強い還元作用によって有害な活性酸素を水に還元させて取り除く一方で、人体の自己免疫力、自然治癒力及び生命力を高める水として知られている。
【０００５】
一方、冷温水器の水槽に収容される水素水の濃度を一定に維持するためには、水槽に収容される水の量が一定に維持されるとともに、水の温度も一定に維持されなければならない。そのために、取水バルブを介して排出された水の量だけ水槽内に所定の水位まで水が流入すると、水流入口を遮断する機能の水位調節装置が求められる。
【０００６】
このような水槽内の水位を調節する装置は、主にボールタップの使用が多いが、ボールタップの体積が大きくて水槽内部サイズに制約を受ける小容量の水槽では、設置が困難であるうえ、水槽内部の周辺構成物による係止などにより作動が障害を起こすおそれがあるという問題点を持っている。また、ボールタップを装着するための固定部と作動部との結合部品が多いため、組立工程が非常に複雑となる。
【先行技術文献】
【特許文献】
【０００７】
【特許文献１】韓国実用新案公開第１０−２０１４−００１１６２９号公報
【発明の概要】
【発明が解決しようとする課題】
【０００８】
本発明は、かかる従来技術の問題点を改善するためになされたもので、その目的は、冷温水器の水槽内の水量をフロート方式のバルブを介して所定の水位に維持させる機能が備えられた、冷温水素水器の自動水位調節装置を提供することにある。
【０００９】
本発明の他の目的は、フロート方式の水位調節装置で部品の簡素化を成し遂げて水槽の貯蔵容量を最大限活用することができるようにして、均一な濃度の水素水を生成して貯蔵する、冷温水素水器の自動水位調節装置を提供することにある。
【課題を解決するための手段】
【００１０】
上記目的を達成するための本発明に係る冷温水素水器の自動水位調節装置は、水ボトル固定カバーを介して連結された水ボトルから冷温水素水器の水槽に流入する水量を所定の水位に調節する水位調節装置であって、前記水槽の上部に備えられ、前記水ボトル固定カバーと分離可能に結合されながら水ボトルの入口に連結されて水ボトルの水を前記水槽に流入させる水ボトル連結部材と、前記水槽の一部分に設置され、前記水槽の水量を所定の水位に維持するために前記水ボトル連結部材に連結され、前記水槽に流入する水量を調節する水位調節部材と、前記水位調節部材を上下に移動する上で揺れないように誘導する水槽固定部材とを含み、前記水位調節部材は、フロート方式で製作され、前記水槽の水位に応じて上下に動きながら、前記水槽内の水量が減少すると、前記水ボトル連結部材の下端に設けられた水流入口を開放して水ボトルの水が前記水槽に供給され、前記水槽の水位が上がると、前記水ボトル連結部材の前記水流入口を塞いで水の供給を遮断することができる。
【００１１】
また、前記水ボトル連結部材は、上端に設けられた水流入口を介して水ボトルの水を前記水槽に流入させ、水位の調節のために前記水位調節部材と連結される水ボトル連結ロッドを含むことができる。
【００１２】
また、前記水位調節部材は、合成樹脂を用いて製作され、前記水ボトル連結部材の下端に設けられた水流入口を介して結合され、前記水槽内の水位に応じて上下移動しながら水流入口を開閉するバルブコックと、前記水槽内の水面に浮遊するフロート方式であって、前記水槽内に流入した水を前記水槽の下端と所定の位置にそれぞれ分離して流入させる構造で製作され、前記水ボトル連結部材の下端に設けられた水流入口に連結される前記バルブコックが結合されるバルブコックコネクタを備え、下部は前記水槽固定部材に連結される水位調節弁とを含むことができる。
【００１３】
また、前記バルブコックは、前記バルブコックコネクタに結合され、前記水槽内の水の量が減少すると下方に下降して水流入口を開放させ、前記水槽の水位が上がると上方に上昇して水流入口を遮蔽させることができる。
【００１４】
また、前記水槽固定部材は、前記水槽の下部の中心部分から上方に所定の長さだけ突出するように形成され、末端の外周面には雄ねじ山を有する固定台と、前記固定台に対応する雌ねじ山が下端の内周面に形成されて前記固定台と分離可能に結合され、上端は前記水位調節部材に連結される連結ジョイントとを含むことができる。
【００１５】
また、前記水位調節弁は、下方に所定の長さだけ突出して前記連結ジョイントの内側に連結されながら、前記バルブコックが前記水ボトル連結部材の下端の水流入口を遮断するように上下移動を支持するフロートロッドを含むことができる。
【発明の効果】
【００１６】
本発明に係る冷温水素水器の自動水位調節装置は、水槽内の水位に応じて水位調節弁がフロート方式で上下に自然に移動するように製作して、バルブコックが水位に応じて水ボトル連結部材の下端を遮蔽しながら水槽内の水の流入を調節して水位を所定の水位に維持させることができる。
【図面の簡単な説明】
【００１７】
【図１】本発明の実施形態に係る冷温水素水器の自動水位調節装置を上方から見た分解斜視図である。
【図２】前記水位調節装置を下方から見た分解斜視図である。
【図３】前記水位調節装置の断面図である。
【発明を実施するための形態】
【００１８】
後述する本発明についての詳細な説明は、本発明の特定の実施形態を例示として図示する添付図面を参照する。これらの実施形態は、当業者が本発明を十分に実施し得るように詳細に説明される。本発明の多様な実施形態は、互いに異なるが、相互排他的である必要はないことを理解しなければならない。例えば、ここに記載している特定の形状、構造及び特性は、実施形態と関連して、本発明の技術的思想及び範囲を逸脱することなく他の実施形態に実現できる。また、それぞれの開示された実施形態内の個別構成要素の位置又は配置は、本発明の技術的思想及び範囲を逸脱することなく変更可能であることを理解しなければならない。従って、後述する詳細な説明は、限定的な意味を有するものではなく、本発明の範囲は、それらの請求の範囲が主張するものと均等な全ての範囲と共に、添付された請求の範囲によってのみ限定される。図面において類似する参照符号は、多くの側面にわたって同一又は類似する機能を示す。 
【００１９】
以下、本発明の属する技術分野における通常の知識を有する者が本発明を容易に実施できるようにするために、本発明の好適な実施形態について添付図面を参照して詳細に説明する。
【００２０】
図１は本発明の実施形態に係る冷温水素水器の自動水位調節装置を上方から見た分解斜視図、図２は前記水位調節装置を下方から見た分解斜視図、図３は前記水位調節装置の断面図である。
【００２１】
図１〜図３に示すように、本発明は、水ボトルから冷温水素水器の水槽に流入する水量を所定の水位に調節する水位調節装置であって、水ボトル連結部材１００、水位調節部材２００及び水槽固定部材３００を含むことができる。
【００２２】
前記水ボトル連結部材１００は、水槽３０の上部に備えられ、水ボトル固定カバー４０と分離可能に結合されながら水ボトルの入口と連結されて水ボトルの水を水槽３０に流入させることができる。
【００２３】
水ボトル連結部材１００は水ボトル連結ロッド１１０を含むことができる。
【００２４】
前記水ボトル連結ロッド１１０は、上端に設けられた水流入口１２０を介して水ボトルの水を水槽３０に流入させ、水位調節のために水位調節部材２００に連結できる。
【００２５】
前記水位調節部材２００は、水槽３０の一部分に設置され、水槽３０の水量を所定の水位に維持するために水ボトル連結部材１００と連結されて水槽３０への流入水量を調節することができる。
【００２６】
水位調節部材２００は、フロート方式で製作され、水槽３０の水位に応じて上下に動きながら、水槽３０内の水量が減少すると、水ボトル連結部材１００の下端に設けられた水流入口１２０を開放して水ボトルの水が水槽３０に供給され、水槽３０の水位が上がると、前記水流入口１２０を塞いで水の供給を遮断させることができる。
【００２７】
水位調節部材２００はバルブコック２２０と水位調節弁２１０を含むことができる。
【００２８】
前記バルブコック２２０は、合成樹脂を用いて製作され、水ボトル連結部材１００の下端に設けられた水流入口１２０を介して結合され、水槽３０内の水位に応じて上下移動しながら前記水流入口１２０を開閉することができる。
【００２９】
バルブコック２２０は、合成樹脂を用いて製作されるので、前記水ボトル連結部材１００の下端に結合され、伸縮性を持っており、水の流入遮断時に密着性を提供することができる。
【００３０】
バルブコック２２０の素材として使用される合成樹脂の種類には、シリコーン樹脂、フェノール樹脂、ポリウレタン樹脂、ポリアミド樹脂、アクリル樹脂、尿素／メラミン樹脂などがある。
【００３１】
前記水位調節弁２１０は、水槽３０内の水面に浮遊するフロート方式であって、水槽３０内に流入した水を水槽３０の下端と所定の位置にそれぞれ分離して流入させる構造で製作され、水ボトル連結部材１００の下端に設けられた水流入口１２０に連結されるバルブコック２２０が結合されるバルブコックコネクタ２１２を備え、下部は水槽固定部材３００に連結される構造でありうる。
【００３２】
水位調節弁２１０は、下方に所定の長さだけ突出して連結ジョイント３２０の内側に連結されながら、バルブコック２２０が水ボトル連結部材１００の下端の水流入口１２０を遮断するように上下移動を支持するフロートロッド２１３を含むことができる。
【００３３】
具体的に、バルブコック２２０は、水位調節弁２１０のバルブコックコネクタ２１２に結合され、水槽３０内の水の量が減少すると、下方に下降して前記水流入口１２０を開放させ、水槽３０の水位が上がると、上方に上昇して水流入口１２０を遮蔽させることができる。
【００３４】
また、水位調節弁２１０は、水槽３０内に収容された水の水位に応じて水面上に浮遊できるようにフロート形態の構造で構成されており、水ボトルを介して水槽３０内に流入した水を、水槽３０の下端と浄水器の温水タンクにそれぞれ分離して流入させる構造で製作できる。
【００３５】
前記水槽固定部材３００は、水位調節部材２００を上下に移動する上で揺れないように誘導することができる。
【００３６】
水槽固定部材３００は固定台３１０と連結ジョイント３２０を含むことができる。
【００３７】
前記固定台３１０は、水槽３０の下部の中心部分から上方に所定の長さだけ突出するように形成され、末端の外周面には雄ねじ山を有する構造でありうる。
【００３８】
前記連結ジョイント３２０は、固定台３１０に対応する雌ねじ山が下端の内周面に形成されて固定台３１０と分離可能に結合され、上端は水位調節部材２００に連結できる。
【００３９】
具体的に、連結ジョイント３２０は、水位調節弁２１０のフロートロッド２１３と連結され、水位調節部材２００が揺れなしで上下に動けるようにする機能を持つ水槽３０を固定することができる。
【００４０】
また、水位調節弁２１０のフロートロッド２１３が連結ジョイント３２０の内側に連結されて上下に移動しながらバルブコック２２０が正確に水ボトル連結部材１００の下端の水流入を遮断するように水槽３０の底部に連結されることにより、水槽を固定させることができる。
【００４１】
以上、本発明を好適な実施形態に基づいて説明したが、本発明の技術的思想はこれに限定されるものではない。請求の範囲に記載された範囲内で変形や変更実施が可能であることは本発明の属する技術分野における通常の知識を有する者に明らかであり、それらの変形や変更も添付された特許請求の範囲に属するといえる。
【符号の説明】
【００４２】
１０    水位調節装置
２０    水槽密閉カバー
３０    水槽
４０    水ボトル固定カバー
１００    水ボトル連結部材
１１０    水ボトル連結ロッド
１２０    水流入口
２００    水位調節部材
２１０    水位調節弁
２１１    フロート
２１２    バルブコックコネクタ
２１３    フロートロッド
２１４    水槽水流入口 
２２０    バルブコック
３００    水槽固定部材
３１０    固定台
３２０    連結ジョイント
【図１】
2020500124.tif 000003
【図２】
2020500124.tif 000004
【図３】
2020500124.tif 000005
【国際調査報告】
2020500124.tif 000006
2020500124.tif 000007
2020500124.tif 000008
2020500124.tif 000009